(57)【要約】【課題】液晶画面を大型化することなく、表示を見やすくかつ操作をしやすくした液晶表示部を採用した操作表示装置を提供する。【解決手段】メインの液晶表示部を有した操作表示装置であって、装置本体に接続付加して使用できるようにしたサブ液晶表示部７ｂを備えている。【選択図】図２
2005300731.tif 000002
【特許請求の範囲】
【請求項１】
メインの液晶表示部を有した操作表示装置であって、
装置本体に接続付加して使用できるようにしたサブ液晶表示部を備えている操作表示装置。
【請求項２】
請求項１において、
上記メイン、サブ液晶表示部の一方に操作メニュー画面を、他方に異常発生時のガイダンス画面を表示させる表示制御部をさらに備えている操作表示装置。
【請求項３】
請求項１において、
上記メイン、サブ液晶表示部を１つの大型画面として表示するようにした表示制御部をさらに備えている操作表示装置。
【発明の詳細な説明】
【技術分野】
【０００１】
本発明は、液晶表示部を備えた操作表示装置に関するものである。
【背景技術】
【０００２】
近時、ファクシミリ装置、複写機、複合機等の画像形成装置に使用されている操作パネルは、液晶画面を備えている。この種の液晶画面は、本体の大型化を避けるため、一般に小型のものが採用されている。
液晶画面は、操作メニュー表示や各種設定操作表示、エラー復旧表示などの表示と、それにともなうタッチ操作に使用され、ページ切替操作やスクロール操作により、一連の操作が行えるようになっている。
液晶画面が大型化されれば、多くの情報量を表示することができ、そのため画面切替操作等が不要となり、操作性はよくなるが、上記のような理由から大型化は望めない。また、大型の液晶画面は高価であるため、装置も高価なものになってしまう。
【０００３】
なお、次文献に示すように、光透過性を有する画面に表示された画像を、装置外部の投影面に投影するようにして、画面を見やすくしたファクシミリ装置が提案されている。特に、文献で採用されたファクシミリ装置は携帯型のもので、受信した画像を印字する代わりに投影面に表示させるようにしたものである。
【特許文献１】特開平８−２０４８７３号公報
【発明の開示】
【発明が解決しようとする課題】
【０００４】
本発明は、上記のような事情を考慮して提案されたもので、その目的は、液晶画面を大型化することなく、表示を見やすくかつ操作をしやすくした液晶表示部を採用した操作表示装置を提供することにある。
特に複合機等においては、ファクシミリ送信とパソコンからのプリンタ出力などの、マルチユーザによる同時使用も可能となっており、そのような同時使用の場合には、液晶画面を複数機能の操作表示用の画面として同時使用したいことがある。例えば、プリンタ出力時にエラーが発生すれば、そのエラーのエラー復旧させることなく、（ガイダンス表示をさせたままにして、）緊急のファクシミリ送信等を行いたい場合がある。
本発明者は、このようなマルチユーザ機能にも対応可能な液晶画面技術を提案している。
【課題を解決するための手段】
【０００５】
上記目的を達成するために、請求項１に記載の操作表示装置は、メインの液晶表示部を有した装置であって、装置本体に接続付加して使用できるようにしたサブ液晶表示部を備えている。
すなわち、サブ液晶表示部は本体装置に対して取り付け／取り外しが可能な構造となっている。サブ液晶表示部を後付けのオプション装置として提供してもよいし、また初めから装置に内蔵させて、スイッチ操作等で接続付加できるようにしてもよい。
【０００６】
請求項２では、請求項１において、メイン、サブ液晶表示部の一方に操作メニュー画面を、他方に異常発生時のガイダンス画面を表示させる表示制御部をさらに備えている。
【０００７】
請求項３では、請求項１において、メイン、サブ液晶表示部を１つの大型画面として情報表示するようにした表示制御部をさらに備えている。
【発明の効果】
【０００８】
請求項１に記載の操作表示装置は、サブ液晶表示部を接続付加できる構成となっているので、必要なときにサブ液晶表示部を接続すれば、標準の液晶画面とサブ画面とに多くの情報量を表示させることができ、その結果、表示は見やすくなり操作もしやすくなり、全体として利便性は向上する。また、ふだん必要のないときに取り外しておけるようにすれば、スペースをとらず、じゃまにならない。
また、サブ液晶表示部をオプション装置として提供するようにすれば、サブ液晶表示部を必要としないユーザに対して、メイン表示部のみが標準装備された、従来の形態で高価格とならない装置を提供することができる。
【０００９】
請求項２では、メイン、サブ液晶表示部の一方に操作メニュー画面を、他方に異常発生時のガイダンス画面を表示させるようにしているので、複数機能を同時に使用しているときに、一方の機能で異常が発生した場合でも、そのガイダンス画面と処理メニューとが別々に表示されるので、異常を放置したままでも他の機能を使用することができる。
【００１０】
請求項３では、メイン、サブ液晶表示部を１つの大型画面として表示するようにしているので、ページ切替やスクロール操作をすることなく、多くの情報量を同時に表示させることができる。
【発明を実施するための最良の形態】
【００１１】
以下に、本発明の実施形態について、図面を参照しながら説明する。以下に示す実施例では操作表示装置の一例としてファクシミリ装置や複写機等の画像形成装置を示しているが、もちろん単体の操作表示装置でもよい。
【実施例１】
【００１２】
図１は、本発明の画像形成装置Ｆの基本構成を示すブロック図である。
図において、１は以下の各部を制御するＣＰＵ等で構成された制御部である。この制御部１は、後述するメイン液晶表示部７ａとサブ液晶表示部７ｂに対して表示制御を行う表示制御部として動作する。
２は通信回線Ｌへのネットワーク制御を行うＮＣＵ、３は画像データファクシミリ通信するために信号の変調・復調を行うモデム、４は画像データを記憶する画像記憶部、５は可変データや設定データなどを記憶するＲＡＭ、６は制御プログラムなどを記憶しているＲＯＭ、７は液晶画面や操作スイッチを備えた操作パネル、７ａ、７ｂは液晶画面で構成されたメイン、サブ液晶表示部、８は原稿画像を読み取る読取部、９は受信した原稿の画像データを記録紙に出力させる記録部である。
【００１３】
この複合機Ｆは、読取部９で読み取った画像データを順次符号化したのち、いったん画像記憶部４に蓄積し、モデム３、ＮＣＵ２を介して、相手先のファクシミリ装置（不図示）に対して送信する一方、画像データを受信すると、受信した画像データを画像記憶部４に蓄積し、順次読み出し復号して、記録部９によって印字出力するファクシミリ送受信基本機能と、読取部８で読み取った画像データを記録部９により記録紙に出力する複写機能とを備えている。
上述するように、本発明装置Ｆはメイン液晶表示部７ａに加えてサブ液晶表示部７ｂを備えている。このサブ液晶表示部７ｂは、本体装置Ｆに対して接続付加できる構造となっており、メイン液晶表示部７ａが標準装備であるのに対して、サブ液晶表示部７ｂはオプション装備となっている。
【００１４】
図２は、サブ液晶表示部７ｂの接続形態の一例を示す概念図である。
本体装置Ｆはサブ液晶表示部７ｂを接続するための接続部（不図示）を設け、サブ液晶表示部７ｂの接続部Ｃを本体に接続して、一体的な液晶表示部を形成するようにしている。
図２の例では、サブ液晶表示部７ｂを、地面に水平なメイン液晶表示部７ａに対して、やや斜めに起立させて接続できるようにしているが、これには限定されない。例えば、図３に示すように、操作パネル７の前方（操作者側）に差込接続できるようにしてもよい。なお、図３は操作パネル部分の平面図である。
【００１５】
このように、サブ液晶表示部７ｂを搭載できるような構造となっているので、メインとサブとで１つの液晶表示部を構成することができ、多くの情報量を同時に表示させることができる。また、両方の表示部には、単に１機能の操作メニュー画面を表示させるだけではなく、一方にはファクシミリ操作メニュー、他方には複写操作メニューなどのように、異なる種類の情報を表示させるようにしてもよい。
特に、サブ液晶表示部７ｂをメイン液晶表示部７ａに隣接させて、あるいはメイン表示部７ａの近辺に付加接続すれば、ユーザはより表示が見やすく、操作がしやすくなる。
【００１６】
図４は、サブ液晶表示部のさらに他の接続形態を示す概念図である。
図示するように、操作パネル７は、２つの液晶表示部７ａ、７ｂを装備できる大きさを有している。サブ用のスペースには、オプションとしてサブ液晶表示部を付加接続できるようになっている。
【００１７】
図５は、ファクシミリ装置Ｆのメイン、サブ液晶表示部に対する表示制御動作の例を示すフローチャートである。
この例では、サブ液晶表示部７ｂを接続しているときには、メインとサブとを合わせて１つの大型画面として操作メニュー画面等を表示させ、非接続のときにはメイン表示部７ａに表示させるようにしている形態を示している（１０１〜１０３）。
【００１８】
なお、表示切替モードスイッチを設け、サブ液晶表示部７ｂを接続／非接続を判断するようにしてもよい。すなわち、この場合には、表示切替モードスイッチがオプション表示モードとなっていない限りは、サブ液晶表示部７ｂが接続されていてもサブ側にはなんら表示はされない。
【００１９】
図６は、液晶表示部に対する表示制御動作の他例を示すフローチャートである。
この例では、サブ液晶表示部７ｂが接続されているときには、２つの液晶表示部７ａ、７ｂの両方を１つの大型表示画面として、各種機能のメニュー画面等の操作画面を表示させる一方、エラーが発生したときには、画面表示を切り替えて、メイン側に操作画面を、サブ側に異常報知と復旧操作のためのガイダンス画面を表示させる（２０１〜２０５）。また、サブ液晶表示部７ｂが接続されていないときにエラーが発生した場合には、エラーが発生した時点で操作画面を消して、ガイダンス表示に切り替える（２０１、２０６〜２０８）。
【００２０】
つまり、２つの液晶表示部は役割分担が決められ、別々の画面を表示できるようになっており、そのため、同時に複数ユーザが同時に使用できるようにした複合機では、一方の表示部に印字エラーガイダンスを表示させながら、他方にメニュー画面を表示させてファクシミリ送信操作や画像読取操作等をさせることができる。すなわち、異常を放置した状態で他の機能を使用することができる。
【００２１】
その他の利用態様として、前画面と現画面の同時表示、画面の拡大表示、保守専用画面の表示（メンテナンスマンがサブ液晶画面を携帯して、装置の保守操作を行うときに接続する）などがある。
【００２２】
以上には、メイン、サブ合わせて２つのものを例示したが、サブ液晶表示部を複数接続できるようにしてもよい。
【００２３】
また、上記実施例では、メイン、サブ液晶表示部の表示制御を画像形成装置本体の制御部で行うようにしているが、操作パネル側で行ってもよい。つまり、この場合の操作パネルは、表示制御部と、メインの液晶表示部と、付加接続可能なサブの液晶表示部とを含んで構成される。
このようにすれば、操作パネルはオプションの液晶表示部が接続可能な単体装置として、その他の電子機器等と組み合わせて使用することができる。
【図面の簡単な説明】
【００２４】
【図１】本発明の操作表示装置の基本構成を示すブロック図である。
【図２】サブ液晶表示部の接続形態を示す概念図である。
【図３】サブ液晶表示部の接続形態の他例を示す概念図である。
【図４】サブ液晶表示部のさらに他の接続形態を示す概念図である。
【図５】本発明装置のメイン、サブ液晶表示部に対する表示制御動作の例を示すフローチャートである。
【図６】液晶表示部に対する表示制御動作の他例を示すフローチャートである。
【符号の説明】
【００２５】
Ｆ      画像形成装置（操作表示装置）
１      表示制御部
７      操作パネル
７ａ      メイン液晶表示部
７ｂ      サブ液晶表示部
【図１】
2005300731.tif 000003
【図２】
2005300731.tif 000004
【図３】
2005300731.tif 000005
【図４】
2005300731.tif 000006
【図５】
2005300731.tif 000007
【図６】
2005300731.tif 000008